(57)【要約】【課題】大当り状態終了直後に小当り状態が発生した際に遊技室内に入った遊技球を特別入賞口へ入賞し難くした役物を有するパチンコ遊技機を提供する。【解決手段】遊技室内に流入した遊技球を特別入賞口に入賞し易い位置と入賞し難い位置とに変更可能な電動部材を設けた役物４を有するパチンコ遊技機において、前記電動部材を所定のタイミングで停止するよう停止指令を出力する停止指令出力手段と、前記停止指令出力手段によって出力された停止指令があったとき前記電動部材が互いに一致する位置を検知する位置検知手段と、前記位置検知手段によって検知された位置で前記電動部材を一時停止するよう制御する停止制御手段と、前記電動部材が一時停止した後の所定時間経過後に前記電動部材を再作動するよう指令を出力する指令出力手段とを備えている。【選択図】図１１
2010075518.tif 000002
【特許請求の範囲】
【請求項１】
遊技盤面に、始動入賞口と、図柄変動表示器と、役物とを装着し、
前記役物は、
前記遊技球を受け入れる球入口と、
前記球入口に装着され該球入口を開閉する可動片と、
前記球入口と連通し所要の奥行きを有する遊技室と、
前記遊技室内に設けられる特別入賞口と、
前記遊技室内に流入した遊技球を前記特別入賞口に入賞し易い位置と入賞し難い位置とに変更可能な電動部材と、
前記電動部材を駆動させる電気的駆動源と、を備え、
前記始動入賞口に遊技球が入賞して前記図柄変動表示器の図柄が変動し、停止したときの図柄が第１の特定図柄に揃ったとき、前記球入口の可動片が１回または複数回開閉動作を繰り返す小当り状態となり、
前記小当り状態の時、前記球入口から入球した球が前記遊技室の前記特別入賞口に入賞すると前記球入口の可動片が複数回開閉動作を繰り返し、且つ、その開閉動作を１ラウンドとして複数ラウンド繰り返して一度に多くの賞球が得られる遊技者に有利な大当り状態になるようにすると共に、
前記大当り状態中に前記始動入賞口に入球した遊技球を保留球として記憶し、前記大当り終了後に前記記憶された保留球を前記始動入賞球として認識し再び前記図柄変動表示器の図柄を変動させ、且つ停止したときの図柄が第１の特定図柄に揃ったときに小当り状態を発生させるようにしたパチンコ遊技機であって、
前記電動部材を前記大当り状態の複数ラウンド終了後の所定の時に停止するよう停止命令を出力する停止指令出力手段と、
前記停止指令出力手段によって出力された停止命令があった時、前記電動部材の所定位置を検知する位置検知手段と、
前記位置検知手段によって検知された位置で前記電動部材を一時停止するよう制御する停止制御手段と、
前記電動部材が一時停止した後の所定時間経過後に前記電動部材を再作動するように指令を出力する作動指令出力手段とを設け、
前記保留球によって前記図柄変動が開始された時点から該図柄が前記第１の特定図柄に揃って小当たり状態が発生し、前記可動片が開放されることによって受け入れられた遊技球が前記電動部材に達した時点で、作動する前記電動部材が前記特別入賞口に入賞し難い位置に来るように前記作動指令出力手段の指令を出力することを特徴とするパチンコ遊技機。
【請求項２】
遊技盤面に、始動入賞口と、図柄変動表示器と、役物とを装着し、
前記役物は、
前記遊技球を受け入れる球入口と、
前記球入口に装着され該球入口を開閉する可動片と、
前記球入口と連通し所要の奥行きを有する遊技室と、
前記遊技室内に設けられる特別入賞口と、
前記遊技室内に流入した遊技球を前記特別入賞口に入賞し易い位置と入賞し難い位置とに変更可能な電動部材と、
前記電動部材を駆動させる電気的駆動源と、を備え、
前記始動入賞口に遊技球が入賞して前記図柄変動表示器の図柄が変動し、停止したときの図柄が第１の特定図柄に揃ったとき、前記球入口の可動片が１回または複数回開閉動作を繰り返す小当り状態となり、
前記停止したときの図柄が第２の特定図柄に揃ったとき、前記球入口の可動片が複数回開閉動作を繰り返し、且つ、その開閉動作を１ラウンドとして複数ラウンド繰り返して一度に多くの賞球が得られる遊技者に有利な大当り状態となり、
前記小当り状態の時、前記球入口から入球した球が前記遊技室の前記特別入賞口に入賞すると大当り状態になるようにすると共に、
前記大当り状態中に前記始動入賞口に入球した遊技球を保留球として記憶し、前記大当り終了後に前記記憶された保留球を前記始動入賞球として認識し再び前記図柄変動表示器の図柄を変動させ、且つ停止したときに揃った図柄に応じて大当り状態又は小当り状態を発生させるようにしたパチンコ遊技機であって、
前記電動部材を前記大当り状態の複数ラウンド終了後の所定の時に停止するよう停止命令を出力する停止指令出力手段と、
前記停止指令出力手段によって出力された停止命令があった時、前記電動部材の所定位置を検知する位置検知手段と、
前記位置検知手段によって検知された位置で前記電動部材を一時停止するよう制御する停止制御手段と、
前記電動部材が一時停止した後の所定時間経過後に前記電動部材を再作動するように指令を出力する作動指令出力手段とを設け、
前記保留球によって前記図柄変動が開始された時点から該図柄が前記第１の特定図柄に揃って小当たり状態が発生し、前記可動片が開放されることによって受け入れられた遊技球が前記電動部材に達した時点で、作動する前記電動部材が前記特別入賞口に入賞し難い位置に来るように前記作動指令出力手段の指令を出力することを特徴とするパチンコ遊技機。
【請求項３】
遊技盤面に、始動入賞口と、図柄変動表示器と、役物とを装着し、
前記役物は、
前記遊技球を受け入れる球入口と、
前記球入口に装着され該球入口を開閉する可動片と、
前記球入口と連通し所要の奥行きを有する遊技室と、
前記遊技室内に設けられる特別入賞口と、
前記遊技室内に流入した遊技球を前記特別入賞口に入賞し易い位置と入賞し難い位置とに変更可能な複数の電動部材と、
前記複数の電動部材を駆動させる電気的駆動源と、を備え、
前記始動入賞口に遊技球が入賞して前記図柄変動表示器の図柄が変動し、停止したときの図柄が第１の特定図柄に揃ったとき、前記球入口の可動片が１回または複数回開閉動作を繰り返す小当り状態となり、
前記小当り状態の時、前記球入口から入球した球が前記遊技室の前記特別入賞口に入賞すると前記球入口の可動片が複数回開閉動作を繰り返し、且つ、その開閉動作を１ラウンドとして複数ラウンド繰り返して一度に多くの賞球が得られる遊技者に有利な大当り状態になるようにすると共に、
前記大当り状態中に前記始動入賞口に入球した遊技球を保留球として記憶し、前記大当り終了後に前記記憶された保留球を前記始動入賞球として認識し再び前記図柄変動表示器の図柄を変動させ、且つ停止したときの図柄が第１の特定図柄に揃ったとき小当り状態を発生させるようにしたパチンコ遊技機であって、
前記複数の電動部材を前記大当り状態の複数ラウンド終了後の所定の時に停止するよう停止命令を出力する停止指令出力手段と、
前記停止指令出力手段によって出力された停止命令があった時、前記複数の電動部材の所定位置を検知する位置検知手段と、
前記位置検知手段によって検知された位置で前記複数の電動部材を一時停止するよう制御する停止制御手段と、
前記複数の電動部材が一時停止した後の所定時間経過後に前記複数の電動部材を同時に再作動するように指令を出力する作動指令出力手段とを設け、
前記保留球によって前記図柄変動が開始された時点から該図柄が前記第１の特定図柄に揃って小当たり状態が発生し、前記可動片が開放されることによって受け入れられた遊技球が前記電動部材に達した時点で、作動する前記複数の電動部材が前記特別入賞口に入賞し難い位置に来るように前記作動指令出力手段の指令を出力することを特徴とするパチンコ遊技機。
【請求項４】
遊技盤面に、始動入賞口と、図柄変動表示器と、役物とを装着し、
前記役物は、
前記遊技球を受け入れる球入口と、
前記球入口に装着され該球入口を開閉する可動片と、
前記球入口と連通し所要の奥行きを有する遊技室と、
前記遊技室内に設けられる特別入賞口と、
前記遊技室内に流入した遊技球を前記特別入賞口に入賞し易い位置と入賞し難い位置とに変更可能な複数の電動部材と、
前記複数の電動部材を駆動させる電気的駆動源と、を備え、
前記始動入賞口に遊技球が入賞して前記図柄変動表示器の図柄が変動し、停止したときの図柄が第１の特定図柄に揃ったとき、前記球入口の可動片が１回または複数回開閉動作を繰り返す小当り状態となり、
前記停止したときの図柄が第２の特定図柄に揃ったとき、前記球入口の可動片が複数回開閉動作を繰り返し、且つ、その開閉動作を１ラウンドとして複数ラウンド繰り返して一度に多くの賞球が得られる遊技者に有利な大当り状態となり、
前記小当り状態の時、前記球入口から入球した球が前記遊技室の前記特別入賞口に入賞すると大当り状態になるようにすると共に、
前記大当り状態中に前記始動入賞口に入球した遊技球を保留球として記憶し、前記大当り終了後に前記記憶された保留球を前記始動入賞球として認識し再び前記図柄変動表示器の図柄を変動させ、且つ停止したときに揃った図柄に応じて大当り状態又は小当り状態を発生させるようにしたパチンコ遊技機であって、
前記複数の電動部材を前記大当り状態の複数ラウンド終了後の所定の時に停止するよう停止命令を出力する停止指令出力手段と、
前記停止指令出力手段によって出力された停止命令があった時、前記複数の電動部材の所定位置を検知する位置検知手段と、
前記位置検知手段によって検知された位置で前記複数の電動部材を一時停止するよう制御する停止制御手段と、
前記複数の電動部材が一時停止した後の所定時間経過後に前記複数の電動部材を同時に再作動するように指令を出力する作動指令出力手段とを設け、
前記保留球によって前記図柄変動が開始された時点から該図柄が前記第１の特定図柄に揃って小当たり状態が発生し、前記可動片が開放されることによって受け入れられた遊技球が前記電動部材に達した時点で、作動する前記複数の電動部材が前記特別入賞口に入賞し難い位置に来るように前記作動指令出力手段の指令を出力することを特徴とするパチンコ遊技機。
【発明の詳細な説明】
【技術分野】
【０００１】
本発明は、遊技盤面の特定の入賞口に遊技球が入賞して特定の条件を満たしたときに、遊技者に有利な大当り状態を発生させるようにした役物を有するパチンコ遊技機に関するものである。
【背景技術】
【０００２】
従来、この種の役物を有するパチンコ遊技機として、パチンコ遊技機の遊技盤の略中央部分に、所要の奥行きを有する遊技室を形成し、この遊技室の上方に遊技盤を流下する遊技球を受け入れる球入口を設けると共に、球入口を開閉する羽根と呼ばれる可動片を設け、遊技室の床面部分には特別入賞口と普通入賞口とを設けてなる役物を備えたパチンコ遊技機が広く知られている。そして、この種のパチンコ遊技機は、可動片が開いた状態の球入口から入った遊技球を床面へと導き、そこで特別入賞口または普通入賞口に入賞させるようにしており、この時、特別入賞口に遊技球が入賞すると、遊技者が一度に多くの賞球を得られる大当り状態へと移行するようになっているのが一般的である。
【０００３】
さらに、このような役物を備えたパチンコ遊技機において、下記特許文献１に示すように、役物の球入口から遊技室内に流入した遊技球が特別入賞口又は普通入賞口に至るまでの間に、遊技室を上下に仕切る傾斜棚を設け、該傾斜棚の対応する位置に遊技球が通過可能な透孔を形成した回転型の電動部材を設け、該電動部材を継続的に回転させるようにしたものが存在している。そして、この役物にあっては、球入口から入った遊技球が回転型の電動部材に衝突して弾かれると傾斜棚の中央に遊技球が導かれた後に床面に流下するため、遊技球が遊技室床面中央に設けられた特別入賞口に入り易く、他方、回転型の電動部材の透孔の中に流入した場合には、遊技球が傾斜棚を経由しないで遊技室の床面に直接導かれるため、特別入賞口へ入賞し難くなっている。
【０００４】
【特許文献１】特開２００３−３１０９３５号公報（段落〔０００９〕〔００１０〕、図２、図４）
【発明の開示】
【発明が解決しようとする課題】
【０００５】
しかしながら、上述した役物の電動部材は、常時回転しているため、役物の球入口から遊技室内に流入した遊技球が回転型の電動部材に衝突するか、あるいは回転型の電動部材の透孔の中に入るか否かは偶然にすぎず、必然的に遊技球が特別入賞口に入り易いか、あるいは入り難い状況かは予想し得るものではなかった。ここで、パチンコホールとしては、大当り状態が何度も継続し、遊技者に対してあまりに多くの遊技球が賞球として払い出されてしまうと、大きな損害を蒙ってしまうことも考えられる。この点、大当り状態が終了した直後に遊技球が役物の遊技室内に入った場合、当該遊技球が特別入賞口に入り難くなっていて容易に大当り状態が連続しないように意図的に形成されていたならば、パチンコホールに対し、上述したような損害を与えてしまう不都合は解消できる。
【０００６】
そこで、本発明は上記課題に鑑みてなされたもので、役物内に設けられた電動部材の作動を大当り状態終了後の所定のタイミングで且つ所定の位置で停止させた後、停止指令を出した時点から起算して所定時間経過した後に再び作動させるようにし、しかも再作動のタイミングを大当り状態終了直後に小当り状態が発生し遊技室内に流入した遊技球が特別入賞口に入らない可能性の高い時となるようにした役物を有するパチンコ遊技機を提供することを目的とするものである。
【課題を解決するための手段】
【０００７】
かかる目的を達成するため請求項１に係る発明は、遊技盤面に、始動入賞口と、図柄変動表示器と、役物とを装着し、前記役物は、前記遊技球を受け入れる球入口と、前記球入口に装着され該球入口を開閉する可動片と、前記球入口と連通し所要の奥行きを有する遊技室と、前記遊技室内に設けられる特別入賞口と、前記遊技室内に流入した遊技球を前記特別入賞口に入賞し易い位置と入賞し難い位置とに変更可能な電動部材と、前記電動部材を駆動させる電気的駆動源と、を備え、前記始動入賞口に遊技球が入賞して前記図柄変動表示器の図柄が変動し、停止したときの図柄が第１の特定図柄に揃ったとき、前記球入口の可動片が１回または複数回開閉動作を繰り返す小当り状態となり、前記小当り状態の時、前記球入口から入球した球が前記遊技室の前記特別入賞口に入賞すると前記球入口の可動片が複数回開閉動作を繰り返し、且つ、その開閉動作を１ラウンドとして複数ラウンド繰り返して一度に多くの賞球が得られる遊技者に有利な大当り状態になるようにすると共に、前記大当り状態中に前記始動入賞口に入球した遊技球を保留球として記憶し、前記大当り終了後に前記記憶された保留球を前記始動入賞球として認識し再び前記図柄変動表示器の図柄を変動させ、且つ停止したときの図柄が第１の特定図柄に揃ったときに小当り状態を発生させるようにしたパチンコ遊技機であって、前記電動部材を前記大当り状態の複数ラウンド終了後の所定の時に停止するよう停止命令を出力する停止指令出力手段と、前記停止指令出力手段によって出力された停止命令があった時、前記電動部材の所定位置を検知する位置検知手段と、前記位置検知手段によって検知された位置で前記電動部材を一時停止するよう制御する停止制御手段と、前記電動部材が一時停止した後の所定時間経過後に前記電動部材を再作動するように指令を出力する作動指令出力手段とを設け、前記保留球によって前記図柄変動が開始された時点から該図柄が前記第１の特定図柄に揃って小当たり状態が発生し、前記可動片が開放されることによって受け入れられた遊技球が前記電動部材に達した時点で、作動する前記電動部材が前記特別入賞口に入賞し難い位置に来るように前記作動指令出力手段の指令を出力することを特徴としている。
【０００８】
請求項２に係る発明は、遊技盤面に、始動入賞口と、図柄変動表示器と、役物とを装着し、前記役物は、前記遊技球を受け入れる球入口と、前記球入口に装着され該球入口を開閉する可動片と、前記球入口と連通し所要の奥行きを有する遊技室と、
前記遊技室内に設けられる特別入賞口と、前記遊技室内に流入した遊技球を前記特別入賞口に入賞し易い位置と入賞し難い位置とに変更可能な電動部材と、前記電動部材を駆動させる電気的駆動源と、を備え、前記始動入賞口に遊技球が入賞して前記図柄変動表示器の図柄が変動し、停止したときの図柄が第１の特定図柄に揃ったとき、前記球入口の可動片が１回または複数回開閉動作を繰り返す小当り状態となり、前記停止したときの図柄が第２の特定図柄に揃ったとき、前記球入口の可動片が複数回開閉動作を繰り返し、且つ、その開閉動作を１ラウンドとして複数ラウンド繰り返して一度に多くの賞球が得られる遊技者に有利な大当り状態となり、前記小当り状態の時、前記球入口から入球した球が前記遊技室の前記特別入賞口に入賞すると大当り状態になるようにすると共に、前記大当り状態中に前記始動入賞口に入球した遊技球を保留球として記憶し、前記大当り終了後に前記記憶された保留球を前記始動入賞球として認識し再び前記図柄変動表示器の図柄を変動させ、且つ停止したときに揃った図柄に応じて大当り状態又は小当り状態を発生させるようにしたパチンコ遊技機であって、前記電動部材を前記大当り状態の複数ラウンド終了後の所定の時に停止するよう停止命令を出力する停止指令出力手段と、前記停止指令出力手段によって出力された停止命令があった時、前記電動部材の所定位置を検知する位置検知手段と、前記位置検知手段によって検知された位置で前記電動部材を一時停止するよう制御する停止制御手段と、前記電動部材が一時停止した後の所定時間経過後に前記電動部材を再作動するように指令を出力する作動指令出力手段とを設け、前記保留球によって前記図柄変動が開始された時点から該図柄が前記第１の特定図柄に揃って小当たり状態が発生し、前記可動片が開放されることによって受け入れられた遊技球が前記電動部材に達した時点で、作動する前記電動部材が前記特別入賞口に入賞し難い位置に来るように前記作動指令出力手段の指令を出力することを特徴としている。
【０００９】
請求項３に係る発明は、遊技盤面に、始動入賞口と、図柄変動表示器と、役物とを装着し、前記役物は、前記遊技球を受け入れる球入口と、前記球入口に装着され該球入口を開閉する可動片と、前記球入口と連通し所要の奥行きを有する遊技室と、前記遊技室内に設けられる特別入賞口と、前記遊技室内に流入した遊技球を前記特別入賞口に入賞し易い位置と入賞し難い位置とに変更可能な複数の電動部材と、前記複数の電動部材を駆動させる電気的駆動源と、を備え、前記始動入賞口に遊技球が入賞して前記図柄変動表示器の図柄が変動し、停止したときの図柄が第１の特定図柄に揃ったとき、前記球入口の可動片が１回または複数回開閉動作を繰り返す小当り状態となり、前記小当り状態の時、前記球入口から入球した球が前記遊技室の前記特別入賞口に入賞すると前記球入口の可動片が複数回開閉動作を繰り返し、且つ、その開閉動作を１ラウンドとして複数ラウンド繰り返して一度に多くの賞球が得られる遊技者に有利な大当り状態になるようにすると共に、前記大当り状態中に前記始動入賞口に入球した遊技球を保留球として記憶し、前記大当り終了後に前記記憶された保留球を前記始動入賞球として認識し再び前記図柄変動表示器の図柄を変動させ、且つ停止したときの図柄が第１の特定図柄に揃ったとき小当り状態を発生させるようにしたパチンコ遊技機であって、前記複数の電動部材を前記大当り状態の複数ラウンド終了後の所定の時に停止するよう停止命令を出力する停止指令出力手段と、前記停止指令出力手段によって出力された停止命令があった時、前記複数の電動部材の所定位置を検知する位置検知手段と、前記位置検知手段によって検知された位置で前記複数の電動部材を一時停止するよう制御する停止制御手段と、前記複数の電動部材が一時停止した後の所定時間経過後に前記複数の電動部材を同時に再作動するように指令を出力する作動指令出力手段とを設け、前記保留球によって前記図柄変動が開始された時点から該図柄が前記第１の特定図柄に揃って小当たり状態が発生し、前記可動片が開放されることによって受け入れられた遊技球が前記電動部材に達した時点で、作動する前記複数の電動部材が前記特別入賞口に入賞し難い位置に来るように前記作動指令出力手段の指令を出力することを特徴としている。
【００１０】
請求項４に係る発明は、遊技盤面に、始動入賞口と、図柄変動表示器と、役物とを装着し、前記役物は、前記遊技球を受け入れる球入口と、前記球入口に装着され該球入口を開閉する可動片と、前記球入口と連通し所要の奥行きを有する遊技室と、
前記遊技室内に設けられる特別入賞口と、前記遊技室内に流入した遊技球を前記特別入賞口に入賞し易い位置と入賞し難い位置とに変更可能な複数の電動部材と、
前記複数の電動部材を駆動させる電気的駆動源と、を備え、前記始動入賞口に遊技球が入賞して前記図柄変動表示器の図柄が変動し、停止したときの図柄が第１の特定図柄に揃ったとき、前記球入口の可動片が１回または複数回開閉動作を繰り返す小当り状態となり、前記停止したときの図柄が第２の特定図柄に揃ったとき、前記球入口の可動片が複数回開閉動作を繰り返し、且つ、その開閉動作を１ラウンドとして複数ラウンド繰り返して一度に多くの賞球が得られる遊技者に有利な大当り状態となり、前記小当り状態の時、前記球入口から入球した球が前記遊技室の前記特別入賞口に入賞すると大当り状態になるようにすると共に、前記大当り状態中に前記始動入賞口に入球した遊技球を保留球として記憶し、前記大当り終了後に前記記憶された保留球を前記始動入賞球として認識し再び前記図柄変動表示器の図柄を変動させ、且つ停止したときに揃った図柄に応じて大当り状態又は小当り状態を発生させるようにしたパチンコ遊技機であって、前記複数の電動部材を前記大当り状態の複数ラウンド終了後の所定の時に停止するよう停止命令を出力する停止指令出力手段と、前記停止指令出力手段によって出力された停止命令があった時、前記複数の電動部材の所定位置を検知する位置検知手段と、前記位置検知手段によって検知された位置で前記複数の電動部材を一時停止するよう制御する停止制御手段と、前記複数の電動部材が一時停止した後の所定時間経過後に前記複数の電動部材を同時に再作動するように指令を出力する作動指令出力手段とを設け、前記保留球によって前記図柄変動が開始された時点から該図柄が前記第１の特定図柄に揃って小当たり状態が発生し、前記可動片が開放されることによって受け入れられた遊技球が前記電動部材に達した時点で、作動する前記複数の電動部材が前記特別入賞口に入賞し難い位置に来るように前記作動指令出力手段の指令を出力することを特徴としている。
【００１１】
なお、上記のように複数の電動部材を設けた場合、本発明はさらに次のような利点が得られることになる。すなわち、複数の電動部材を設けた場合、これを作動させる駆動源の個体差によって作動速度に微妙なずれがあり、長時間稼働させると、このずれが積み重なって次第に複数の電動部材相互の位置が合わなくなってくる場合がある。また、電動部材には、球入口から流入した多数の遊技球が衝突することになるが、この衝突の衝撃で電動部材が余分に動いてしまい、このような衝突が何度も繰り返されていると、やはり複数の電動部材相互の位置が合わなくなってくる場合がある。この点、請求項３又は４に係る発明は、複数の電動部材の作動を所定のタイミングで且つ所定の位置で停止させた後であって、作動停止指令を出した時点から起算して所定時間経過後に、複数の電動部材を同時に再作動させるようにしたので、その度に複数の電動部材の位置ずれが修正されることになる。そして、電動部材の位置によって、遊技球が特別入賞口に入賞し易かったり、入賞し難くなっているので、請求項３又は４に係る発明のように複数の電動部材の位置ずれが修正されるようになっていると、通常の小当り状態（大当り状態の終了後に保留球によって小当りとなる場合以外）の時でも、特別入賞口に遊技球が入る確率が安定することになる。
【００１２】
なお、前記電動部材を複数設け且つ回転型の電動部材とした場合、前記位置検知停止手段を、複数の回転型電動部材の各々の回転軸に固定され且つスリットを有する回転板と、該回転板を挟むように設けられた投光器と受光器とによって構成するとよい。この場合、さらに回転板のスリットが回転型電動部材の透孔の位置と前後方向で一致するようにするとよい。
【００１３】
請求項１乃至４の構成要件である「遊技盤面に装着された図柄変動表示器」は、役物と接触して設けられていて、外部からみると役物と一体であるかのようになっている場合、あるいは、役物とはまったく別に遊技盤面に配設されている場合の双方の場合がある。
【発明の効果】
【００１４】
本発明は、役物内に設けられた電動部材の作動を大当り状態終了後の所定のタイミングで且つ所定の位置で停止させた後、停止指令を出した時点から起算して所定時間経過した後に再び作動させるようにし、しかも大当り状態終了直後に小当り状態が発生し遊技室内に流入した遊技球が特別入賞口に入り難い時を予め把握しておき、当該時に電動部材の再作動の指令を出力するようにしたことから、大当り状態が何度も継続し、遊技者に対し不必要に過大な量の遊技球を賞球として払い出してしまうという可能性を減少させることができ、ひいては、パチンコホールに不測の損害を生じさせてしまう不都合を解消することができる。
【００１５】
さらに、請求項３又は４に係る発明は、上記の効果に加え、複数の電動部材を設けた場合に有利な効果を奏する。すなわち、複数の電動部材を設けた場合、複数の電動部材相互の位置が駆動源の個体差や電動部材に遊技球が衝突することによってずれてきてしまうことがあるが、請求項２に係る発明は、所定のタイミングで電動部材相互の位置ずれを補正することができるので、通常の小当り状態（大当り状態の終了後に保留球によって小当りとなる場合以外）の時でも、特別入賞口に遊技球が入る確率が安定することになる。
【発明を実施するための最良の形態】
【００１６】
次に、本発明に係るパチンコ遊技機の役物の実施の形態を図面に基づき説明する。図１は、本発明が適用されるパチンコ遊技機の遊技盤の正面図を示す。該遊技盤１は、打球発射装置（図示せず）から発射された遊技球を誘導するため前面に環状の外レール２と内レール３が設けられ、その内側の遊技領域の中央に本発明に係る役物４が配設される。５ａ，５ｂは遊技球が流下する遊技盤１の左側領域上部と右側領域上部に夫々設けられた普通入賞口、６ａ，６ｂはその下方に夫々設けられた普通入賞口である。７ａ，７ｂは遊技盤１の左側領域下部と右側領域下部に夫々設けられた始動入賞口、８は役物４の直下方に設けられ一対の翼片９，９が開閉動するように構成された所謂チューリップ型の電動開閉始動入賞口である。該電動開閉始動入賞口８は、その上方に遊技球が通過することにより電気的に検出される通過ゲート８ａが一体に設けられている。なお、１０は遊技領域の下端部に設けられたアウト球排出口、１１ａ，１１ｂは内レール３の内側縁に設けられたランプ付き装飾体である。
【００１７】
役物４は、図２、図３に拡大して示すように、遊技盤１面に取着される取付基板１２前面の中央上部に紋型装飾体１３が形成され、該紋型装飾体１３の両側に球入口１４ａ，１４ｂが形成されると共に、球入口１４ａ，１４ｂに連通し所要の奥行きを有する遊技室が形成されている。該球入口１４ａ，１４ｂには、可動片としての可動羽根１５ａ，１５ｂが回動自在に軸支される。該可動羽根１５ａ，１５ｂは、図４（イ）（ロ）に示すように、支軸１６ａ，１６ｂの先端に固設され、該支軸１６ａ，１６ｂの後端部にクランク１７ａ，１７ｂが固設されている。１８ａ，１８ｂは該役物４の内部に鉛直に固設された電動アクチュエータ（ソレノイド）、１９ａ，１９ｂは該電動アクチュエータ１８ａ，１８ｂのプランジャに固着された作動片である。２０ａ，２０ｂは、その軸受部２１ａ，２１ｂを軸支することにより傾動自在に支持された傾動片である。該傾動片２０ａ，２０ｂに突設されたピン２２ａ，２２ｂを該作動片１９ａ，１９ｂに形成された横長孔２３ａ，２３ｂに遊嵌すると共に、クランク１７ａ，１７ｂの先端に突設されたピン２４ａ，２４ｂを該傾動片２０ａ，２０ｂに形成された長孔２５ａ，２５ｂに遊嵌する。
【００１８】
前記電動アクチュエータ１８ａ，１８ｂが励磁され作動片１９ａ，１９ｂが上動すると、傾動片２０ａ，２０ｂが上傾し、図４（ロ）に示すように支軸１６ａ，１６ｂを矢視方向へ回転させ、可動羽根１５ａ，１５ｂが図４（イ）の起立状から外傾状に変動する。これに伴い図２鎖線に示すように球入口１４ａ，１４ｂが開成され、遊技球が該球入口１４ａ，１４ｂから役物４内に流入し得るようになる。２６は、役物４内であって球入口１４ａ，１４ｂの内側に山形に形成された球遊動通路である。２７ａ，２７ｂは該球入口１４ａ，１４ｂから役物４内に流入した遊技球を検出するために該球遊動通路２６の両端部に設けられた球検出スイッチで、遊技球は該球検出スイッチ２７ａ，２７ｂの環状孔からその下段に形成された凹面状通路２８に落下する。
【００１９】
また、図２に示すように、凹面状通路２８の後側壁中央部に遊技球が３個横に並んで通過できる程度の幅を有する窓孔２９が形成され、該窓孔２９の後側に球停留装置３０が設けられる。図５（イ）（ロ）に示すように、該球停留装置３０は、上端部で軸着され前後に自在に揺動する振分部材３１と、役物４の内部中央に鉛直に固設された電動アクチュエータ（ソレノイド）３２と、該電動アクチュエータ３２のプランジャに固着され振分部材３１と連係する規制部材３３と、からなる。振分部材３１は、下端に後記する球落口３８の上面を開閉する蓋片３１ａが設けられ、軸支部から後方へ突出する腕片３４の先端にピン３４ａが設けられる。一方、規制部材３３は、その上端に前方へ突出する可動片３５が設けられ、該可動片３５先端の二股部３６に前記腕片３４のピン３４ａが係合している。また、規制部材３３の下端は、前方へ屈曲して球止片３７が設けられる。該球止片３７の前端部は、球落口３８の下方に位置する。そして、規制部材３３が上昇したとき、球止片３７が球落口３８の真下に位置してその下面を閉じ、該球止片３７に入った遊技球を下から支持するようにしている。また、この状態で、規制部材３３が下降すると、球落口３８の下面が開かれ前記遊技球は支持を失い落下することになる。
【００２０】
前記球停留装置３０における振分部材３１の下方には、該振分部材３１の揺動動作により遊技球を受け入れられるように開閉する球落口３８が設けられ、該球落口３８に球検出スイッチ３９（図５では省略。）の環状孔が合致している。球落口３８は、左右両サイドへ伸びるワープ通路４０ａ，４０ｂの分岐点に当たる底壁に開設される。これらワープ通路４０ａ，４０ｂは両側で下方へ屈曲し、その下端に後記する傾斜棚５２の両側上面に位置する球出口４１ａ，４１ｂが設けられる。すなわち、ワープ通路４０ａ，４０ｂは、可動羽根１５ａ，１５ｂに受け入れられて遊技室内に流入した遊技球を傾斜棚５２へと送り、後述する電動型回転部材６６へと導く供給通路としての役割を有している。これらワープ通路４０ａ，４０ｂにより囲まれる部位は、その後側に位置するディスプレイ４８を遊技者が前側から視認可能なように、遊技球の直径寸法よりも少し広い幅を離して平行な前後一対の透明樹脂板が張設された透光領域４２としている。
【００２１】
前記透光領域４２の透明樹脂板間に、球落口３８の下方に位置して該球落口３８から落下する遊技球を下方へ導く中央縦通路４３が形成される。該中央縦通路４３には、その途中に通路の内側へ突出し落下する遊技球を一時的に受け止める第一球受片４４ａとその下方に位置する第二球受片４４ｂとが設けられる。これら第一・第二球受片４４ａ，４４ｂは、互いに位置を違えて設けられかつそれら上面が中央縦通路４３の中央寄りへ下傾し、その上面に遊技球が乗っても停止できずに落下するようになっている。さらに、第二球受片４４ｂの下方に上面が弧状に窪み、遊技球を排出する下端放出口４３ａが球転動通路４５の長手方向に沿っていずれか側方、この場合は図２において右側を向いた第三球受片４４ｃが設けられる。
【００２２】
そして、両透明樹脂板間の下部に、中央縦通路４３の下端から落下する遊技球を受け入れる球転動通路４５が設けられる。該球転動通路４５は、底壁上面が前記中央縦通路４３の真下位置である中央部で一番低くなっており、その両側で中央部に向かって緩やかに下傾している。また、中央縦通路４３の中央部の後側壁に、遊技球を傾斜棚５２の左右幅方向のほぼ中央部に落下させる球送り口４６が開設される。
【００２３】
前記球停留装置３０の電動アクチュエータ３２が消磁しているときは、図５（イ）に示すようにそのプランジャが下方へ突出して規制部材３３が下降位置に停止し、振分部材３１が前方へ揺動して突出し球落口３８の上面を塞いでいる。よって、この状態で凹面状通路２８から窓孔２９を介して導かれた遊技球は、振分部材３１により左右いずれかに振り分けられ、ワープ通路４０ａ，４０ｂ内を流れると共にその下端の球出口４１ａ，４１ｂから排出されて傾斜棚５２の上面に落下する。また、この状態では、該規制部材３３下端の球止片３７が中央縦通路４３の後側壁に開設された縦溝４７を介してその中央縦通路４３内に介入し、第一球受片４４ａの近傍に達しており、その第一球受片４４ａ上面に乗る遊技球を支えてそれより下方へ落下させないようにしている。
【００２４】
これに対し、電動アクチュエータ３２が励磁すると、図５（ロ）に示すようにそのプランジャが上方へ収縮して規制部材３３が上昇位置に停止し、同時に振分部材３１が後方へ揺動して球落口３８の上面を遊技球が入り得るように開放する。よって、この状態で凹面状通路２８から窓孔２９を介して後方へ導かれた遊技球は、球落口３８に入り易い。該球落口３８に入った遊技球は、その下面を規制部材３３下端の球止片３７により支持され、電動アクチュエータ３２が消磁して規制部材３３が下がらない限り中央縦通路４３に落下しないようになっている。また、その後に窓孔２９から入る遊技球は、球落口３８に保留される遊技球によって振り分けられ、ワープ通路４０ａ，４０ｂのいずれかに流入する。
【００２５】
この状態で、電動アクチュエータ３２が消磁すると、規制部材３３が下降し該規制部材３３によって球落口３８に保留されていた遊技球が第一球受片４４ａの上面に落下する。また、同時に振分部材３１が前方へ突出して球落口３８の上面を塞ぐ。このとき、前記遊技球は、規制部材３３に支持され第一球受片４４ａの上面に保持される。そして、電動アクチュエータ３２が再び励磁すると、規制部材３３が上昇すると共に振分部材３１が後退して球落口の上面３８を開放する。同時に、第一球受片４４ａの上面に乗っていた遊技球が規制部材３３から開放され、第二球受片４４ｂの上面に一時的に乗りつつさらにその下方の第三球受片４４ｃ上面に乗り、図６（イ）に示すようにその下端放出口４３ａから球転動通路４５の底壁上面に落下する。
【００２６】
第三球受片４４ｃの下端放出口４３ａは図２のように球転動通路４５を正面から見て右側を向いているので、そこから排出される遊技球は勢いがつき易い。そこで、該球転動通路４５の底壁上面が中央部に向かって緩やかに下傾していることから、前記遊技球は図６（イ）鎖線に示すようにその中央部を中心として左右両サイドへ減衰しながら往復運動する。そして、該遊技球は最終的に中央部に寄り、球送り口４６を介して傾斜棚５２上面の中央に落下する。球送り口４６の中央縦通路４３に沿った両側縁部は、その前面が図６（ロ）に示すように前方へ突出し、両突出部から始まる両側前面が、それぞれ球転動通路４５に沿って外側へ向かうに従い漸次後方へ傾くテーパー面４５ａに形成されている。
【００２７】
これにより、球転動通路４５を球送り口４６を中心として左右に往復運動する遊技球は、球送り口４６に近づくにつれテーパー面４５ａに接触して球送り口４６から離されるように誘導される。よって、例えば、該遊技球が球送り口４６の両内側縁に当たって停止し、そこで往復運動の止まってしまうことがなくなり、遊技者はその遊技球の動きを長く楽しむことができる。
【００２８】
役物４内の球転動通路４５の下方に、取付基板１２に開設された窓開口４９と連通するようにして前側から内部が視認できる下部遊技室５０が形成されている。図７に示すように該下部遊技室５０には、その後側正面壁５０ａの中央に装飾体としての人形５１が突出状に設けられる。また、下部遊技室５０内の中間高さ位置に、横断状に配置され後方へ向けて緩やかに下傾する傾斜棚５２が設けられる。該傾斜棚５２の後端縁は、遊技球が落下し得る間隔５３を離して人形５１と相対している。該下部遊技室５０の床面５４は緩やかな前傾状に形成され、その前端縁中央に特別入賞口５５が設けられ、該特別入賞口５５の両側にそれぞれやや広めの普通入賞口５６，５６が形成される。該特別入賞口５５には、球検出スイッチ５７が配設される。普通入賞口５６，５６にあっては、その下流側に図示しない球検出スイッチが配設される。
【００２９】
図８に示すように前記人形５１の腹部に、繰り返し前方に進出可能に設けられたポケット形の進退動型電動部材５８が装着される。該進退動型電動部材５８は、水平に配置されると共に前端に上面が開口したポケット部５８ａが設けられる。後側正面壁５０ａの後側に、進退動型電動部材５８に連結され該進退動型電動部材５８を動作させるための電動アクチュエータ（ソレノイド）５９が水平に配置される。また、人形５１の後側に相当する後側正面壁５０ａの裏側に遊技球が通過し得る通路６０が形成され、該通路６０は人形５１の股下部に開設された放出口６１に連通している。６２は床面５４の下側に配置され、電動アクチュエータ（ソレノイド）６３の作動により枢支部６４を支点として鉛直面内で上下に傾動するように支持された停留レバーである。そして、その上・下方向への傾動により該停留レバー６２の先端６２ａが放出口６１と相対するように床面５４より出没し、放出口６１から放出する遊技球を該停留レバー６２により一時停留するようになっている。また、放出口６１の両側であって後側正面壁５０ａに、前記通路６０と連通するサブ放出口６５が開設される。
【００３０】
図２、図７、及び図９に示すように、人形５１の両側で傾斜棚５２の両サイド奥部にそれぞれ半球殻状の回転型電動部材６６が設けられる。該回転型電動部材６６はその球面が前方を向き回転軸６７により支持され、該回転軸６７の後端に減速機付モータ６８が連繋される。回転型電動部材６６には、その前側壁６９ａに等間隔に遊技球が通過できる透孔６９ｂが各々３つずつ形成されている。従って、回転型電動部材６６が回転すると、該回転型電動部材６６の前側壁６６ａと透孔６６ｂとが傾斜棚５２に交互に接近することになる。また、２つの回転型電動部材６６の各々の回転軸６７にはスリット８２を有する回転円板８１と、該回転円板８１を挟むように設けられた投光器８３と受光器８４とからなる検出器（位置検知手段）９０が設けられている。すなわち、２つの回転型電動部材６６の各々の回転軸６７には、該回転軸６７に対して直角となるように回転円板８１が固着され、該回転円板８１の外周縁部に回転軸６７を中心とする放射線状に且つ等間隔に３つずつのスリット８２が設けられていると共に、回転円板８１の一側に、該回転円板８１の外周縁部を前側と後側から挟むようにして投光器８３と受光器８４とを備えた検出器（位置検知手段）９０が配設されている。また、前記回転円板８１の３つのスリット８２はいずれも、回転型電動部材６６の透孔６９ｂのちょうど裏側に位置するようになっている。具体的には、スリット８２が回転型電動部材６６の透孔６９ｂの縁部と前後方向で一致するようになっている。
【００３１】
なお、上記実施例では、回転型電動部材に３つの透孔が設けられている例を示して説明したが、当該透孔の数は特に限定されるものではない。また、回転円板に３つのスリットが設けられている例を示して説明しているが、当該スリットの数も特に限定されるものではない。
【００３２】
前記左右の２つの回転型電動部材６６は、減速機付モータ６８の駆動によりそれぞれ内向きに回転する。すなわち、役物４を正面から見て右側に位置する回転型電動部材６６は、反時計回り方向へ回転し、左側に位置する回転型電動部材６６は、時計回り方向へ回転する。また、回転型電動部材６６は、基本的に常時継続回転しており、この時、左右２つの回転型電動部材６６の透孔６９ｂは、相互に同じ位置で回転するようになっている。このように、２つの回転型電動部材６６の透孔６９ｂの位置が一致するように回転させるのは、役物４内に入った遊技球の特別入賞口５５へ入賞する入賞確率にばらつきがないようにしてその均一化を図るためである。もっとも、減速機付モータ６８の個体差によって２つの回転型電動部材６６の回転速度に若干のずれがある場合、あるいは、回転型電動部材６６に遊技球が衝突した際の衝撃で回転型電動部材６６が余分に回ってしまう場合があり、このような場合、回転型電動部材６６を長時間稼働していると、左右の回転型電動部材６６の透孔６９ｂの位置が合致しなくなってくる場合がある。そこで、所定の時に左右の回転型電動部材６６の透孔６９ｂの位置のずれを修正するようにしている。ここで「所定の時」とは、この実施例では、変動図柄が確定し、あるいは遊技球が役物４内の特別入賞口５５へ入賞し、遊技者に有利な大当り状態となったときの最後に行うことにしている。具体的には、大当り状態の複数回のラウンドが終了した時点で、パチンコ遊技機内のＣＰＵから回転型電動部材６６の回転を停止するよう停止指令が出力され、この停止指令があってから投光器８３の光が受光器８４によって最初に検知されたスリット８２の位置で回転型電動部材６６を一旦停止させるようになっている。この時、回転型電動部材６６の３つの透孔６９ｂは、等間隔で設けられており、且つ回転円板８１の３つのスリット８２は、いずれも回転型電動部材６６の透孔６９ｂと前後方向で一致するようになっているので、３つのスリット８２のうち、どのスリット８２で停止させても、左右の２つの回転型電動部材６６の透孔６９ｂの位置は相互に一致することになる。そして、２つの回転型電動部材６６が一時停止した後の所定時間経過後に左右２つの回転型電動部材６６を再び同時に回転させるようにしている。ここで、「一時停止した後の所定時間経過後」とは、この実施例においては、予め算出された次のような時間を意味する。まず、大当り状態中に始動入賞口７ａ，７ｂに遊技球が入り、これが保留球として記憶され、当該保留球によって大当り終了後に続けて図柄が変動し、さらに、この図柄が第１の特定図柄、例えば「１１１」「２２２」に揃って、小当り状態が発生し、小当り状態によって開放された可動羽根１５ａ，１５ｂから役物内へと遊技球が流入することを想定する。そして、この流入した遊技球が傾斜棚５２の上面に到達した時点で、回転している回転型電動部材６６の透孔６９ｂがちょうど傾斜棚５２に接近して透孔６９ｂに遊技球が入る位置に来るタイミングを予め把握する。そして、当該タイミングに合致するように予め回転型電動部材６６を事前に回転させる。すなわち、役物の遊技室内に流入した遊技球が傾斜棚５２に到達した時点で、ちょうど回転型電動部材６６の透孔６９ｂが傾斜棚５２に位置するように事前に回転指令を発するようにしている。このように、２つの回転型電動部材６６を再び同時に再回転させるように回転指令を出力するようになっている（回転指令出力手段）ので、２つの回転型電動部材６６の透孔６９ｂの位置にずれが生じていても、ここで当該ずれが補正されて再び２つの回転型電動部材６６の透孔６９ｂの位置が一致した状態で回転型電動部材６６は回転することになる。また、保留球によって大当り状態から小当り状態へと移行した際に、遊技室内に入った遊技球が傾斜棚５２にくると、ちょうど回転型電動部材６６の透孔６９ｂが傾斜棚５２に接近しているので、当該遊技球は回転型電動部材６６の透孔６９ｂに入って傾斜棚５２を経由することなく遊技室の床面５４に直接導かれることになる。従って、保留球によって大当り状態から小当り状態へと移行した際に、遊技室内に入った遊技球は特別入賞口５５に入賞し難いことになる。
【００３３】
さらに、前記下部遊技室５０の後側正面壁５０ａに、人形５１の両側に位置して押出し部材７１が配置される。これら押出し部材７１は共に同じ構成からなるので、図１０（イ）（ロ）に図２のような役物４を正面から見て左側に位置するもののみを示す。押出し部材７１は、両端部に支持孔７２を貫設した摺動枠７３の前面に支軸７４を突設し、該支軸７４の先端、すなわち前端、に人の手に模した当て片７５を固着して構成される。一方、下部遊技室５０の後側正面壁５０ａに支持枠７６が固着される。該支持枠７６には、後側正面壁５０ａの前後方向へ水平に貫設された軸孔７７が設けられる。また、支持枠７６の両側後面に、軸孔７７の中心軸と平行をなしかつ圧縮スプリング７８を巻装した支杆７９が後方へ突設される。そして、前記軸孔７７に支軸７４を挿通し、両支持孔７２に両支杆７９を挿通する。また、摺動枠７３の後側に、該摺動枠７３を圧縮スプリング７８の付勢に抗して前方へ押動する電動アクチュエータ（ソレノイド）８０が水平に配設されている。
【００３４】
ここで、電動アクチュエータ８０が消磁しているときは、図１０（イ）に示すように圧縮スプリング７８の付勢により摺動枠７３が後退し、支軸７４前端の当て片７５が後側正面壁５０ａの前面に寄っている。これに対し、電動アクチュエータ８０が励磁すると、図１０（ロ）に示すようにプランジャが前進して圧縮スプリング７８の付勢に抗して摺動枠７３を前方へ押す。これにより、当て片７５が前方へ突出して、傾斜棚５２の後端縁に接近する。その後端縁と当て片７４との隙間は、遊技球が通過し得ない寸法になっており、傾斜棚５２の上面を後方へ転動して突出動作する当て片７５に当る遊技球は、傾斜棚５２の上面を前側へ押し返されることになる。前記両当て片７５の前面は、真正面を向くというよりも少し中央の人形５１側を向くように設定されている。よって、該当て片７５に押し返された遊技球は、パチンコ遊技機の前面を覆う透明板保持枠（図示せず。）のガラス板（役物４の窓開口４９に該窓開口４９を塞ぐ前面透明壁がある場合は、該前面透明壁）に当たってポケット部８５ａに向かって流下し易いようになる。
【００３５】
本発明に係るパチンコ遊技機では、図１２に示すように前記ディスプレイ（図柄変動表示器）４８、電動アクチュエータ１８ａ，１８ｂ，３２，５９，６３，８０、減速機付モータ６８、及び検出器９０が、ＣＰＵ，ＲＯＭ，ＲＡＭ，Ｉ／Ｏ等からなるマイクロコンピュータ８４に接続され、該マイクロコンピュータ８４の指令により作動する。また、該マイクロコンピュータ８４には、前記始動入賞口７ａ，７ｂ、電動開閉始動入賞口８に入賞した遊技球を検出する球検出スイッチ８５ａ，８５ｂ，８６がそれぞれ接続されているほか、前記球検出スイッチ２７ａ，２７ｂ、球検出スイッチ３９、球検出スイッチ５７がそれぞれ接続されている。
【００３６】
本発明に係るパチンコ遊技機の役物４は上記構成からなり、例えば、遊技盤１面に打ち込まれた遊技球が始動入賞口７ａ，７ｂや電動開閉始動入賞口８に入賞すると、球検出スイッチ８５ａ，８５ｂ，８６により電気的に検出されてディスプレイ４８に表示される数字、文字、図形といった図柄が変動を開始する。遊技者は、その図柄を透光領域４２を介して見ることができる。電動開閉始動入賞口８にあっては、その上部の通過ゲート８ａを遊技球が通過すると抽選が行なわれ、その抽選に当たると電動開閉始動入賞口８が１回開閉する。
【００３７】
そして、前記変動した図柄は、特定の図柄（例えば、「１１１」、「２２２」、「７７７」）で停止する。そこで、特定の図柄が「１１１」で停止した場合は、可動羽根１５ａ，１５ｂが１回開閉動作を行なう小当り状態となる。また、特定の図柄が「２２２」で停止した場合は、可動羽根１５ａ，１５ｂが２回開閉動作を行なう小当り状態となる。一方、特定の図柄が「７７７」に揃った場合は、遊技者に有利な大当り状態となり、可動羽根１５ａ，１５ｂが１ラウンドにつき所定回数開閉を繰り返し、その後にそのラウンドが所定回数継続され、一度に多くの賞球が得られる。ラウンド終了後は、元の状態に戻る。なお、大当り状態の時に、遊技球が始動入賞口７ａ，７ｂに入賞すると、当該入賞球は一定数（この実施例では４個）まで保留球として積算記憶される。そして、当該保留球は、大当り状態の終了後に入賞球として扱われ、これを契機に図柄が変動される。
【００３８】
前記可動羽根１５ａ，１５ｂが１回または２回開いたときに、球入口１４ａ，１４ｂに遊技球が入賞すると、該遊技球は球検出スイッチ２７ａ，２７ｂを通過して検出される。これにより、可動羽根１５ａ，１５ｂを作動させる電動アクチュエータ１８ａ，１８ｂを除いて、他の電動アクチュエータ３２，５９，６３，８０が駆動し、振分部材３１と規制部材３３、進退動型電動部材５８、停留レバー６２、押出し部材７１が設定された時間に従って適宜回数作動する。また、押出し部材７１は、役物４に遊技球が入賞してから排出されるまでの間に、左右同時に複数回前方へ突出動作を繰り返す。
【００３９】
前記球入口１４ａ，１４ｂの球検出スイッチ２７ａ，２７ｂを通過して検出された遊技球は、凹面状通路２８内に入る。次に、この遊技球は、窓孔２９から後方へ流下するが、電動アクチュエータ３２が消磁して振分部材３１により球落口３８の上面が塞がれているとき、蓋片３１ａにより振り分けられていずれかのワープ通路４０ａ，４０ｂに流入し、その流下端の球出口４１ａ，４１ｂから傾斜棚５２上面に落下する。一方、電動アクチュエータ３２が励磁して振分部材３１を後方へ揺動して球落口３８の上面が開放されたとき、窓孔２９から入った遊技球がタイミング良く球落口３８に入ると、該遊技球は、電動アクチュエータ３２が励磁している間、一時的に保留される。よって、後続の遊技球は必然的に球落口３８には入賞せず、いずれかのワープ通路４０ａ，４０ｂに流入する。
【００４０】
そして、前記電動アクチュエータ３２が消磁すると、規制部材３３が下降し前記球落口３８に保留されていた遊技球は支持を失って中央縦通路４３に落下し、規制部材３３に支持された状態で第一球受片４４ａ上面に保持される。、電動アクチュエータ３２が励磁すると、規制部材３３が上昇し第一球受片４４ａ上面の遊技球が支持を失って落下し、第二・第三球受片４４ｂ，４４ｃを経て球転動通路４５上面に落下する。該球転動通路４５上面では、遊技球がその球転動通路４５に沿って中央部を中心として左右に減衰しながら往復動する。最終的に減衰した遊技球は、球送り口４６から傾斜棚５２上面に落下する。
【００４１】
傾斜棚５２上面を後方へ転動する遊技球は、間隔５３から人形５１の前に落下したり、該傾斜棚５２上面で左右の回転型電動部材６６に接触して弾かれたり、或は回転型電動部材６６の透孔６９ｂ内に入りそのままいずれかの透孔６９ｂから曲面棚７０に落下して、床面５４上に放出される。そして、該遊技球は、前方へ転動して普通入賞口５６または特別入賞口５５に入賞する。もっとも、遊技球が回転型電動部材６６の透孔６９ｂ内に流入し、透孔６９ｂから曲面棚７０に落下した場合、その大多数は普通入賞口５６に入賞し、特別入賞口５５にはきわめて稀にしか入賞しない。他方、遊技球が間隔５３から落下するとき、図８の鎖線に示すように電動アクチュエータ５９が励磁して進退動型電動部材５８が進出して開いたポケット部５８ａに入ると、該遊技球は通路６０を流下して人形５１の股下部の放出口６１に導かれる。このとき、同図鎖線に示すように電動アクチュエータ６３が励磁して停留レバー６２の上端が床面５４から上方へ突出しているときは、放出口６１にある遊技球はそのまま保持される。その後、電動アクチュエータ６３が消磁して停留レバー６２の上端が床面５４から下方に位置すると、前記遊技球はまっすぐ流下して特別入賞口５５に容易に入賞する。この場合も大当り状態となり、可動羽根１５ａ，１５ｂが１ラウンドにつき所定回数開閉を繰り返し、その後にそのラウンドが所定回数継続され、一度に多くの賞球が得られることになる。ラウンド終了後は、元の状態に戻る。なお、遊技球が間隔５３から落下する場合であって、上述した進退動電動部材５８のポケット部５８ａに入ることなく曲面棚７０に落下した場合、その大多数は普通入賞口５６に入賞し、特別入賞口５５にはきわめて稀にしか入賞しない。
【００４２】
ワープ通路４０ａ，４０ｂに流入した遊技球は、傾斜棚５２へと送られて回転型電動部材６６に導かれる。ここで、ワープ通路４０ａ，４０ｂは、遊技室内に流入した遊技球を傾斜棚５２へと直接送り込むように形成されている。従って、ワープ通路４０ａ，４０ｂに流入した遊技球が傾斜棚５２に到達する時間は、略一定となる。傾斜棚５２上に落下した遊技球のうち、回転型電動部材６６に接触して弾かれた遊技球は、傾斜棚５２の上面中央に向かって転動するため、特別入賞口５５へ入賞する確率が高くなる。他方、回転型電動部材６６に接触して弾かれた遊技球が運悪く中央に寄らなかった場合でも、遊技球が傾斜棚５２の後端縁から落下するとき押出し部材７１が前方へ突出すると、図１１の鎖線に示すように当て片７５に当てられ傾斜棚５２の上面を前側へ押し返される。このようにして、その遊技球は、当て片７５により押し返される限り、傾斜棚５２上面を前後に往復動して傾斜棚５２上面に留まる時間が長くなり、進退動型電動部材５８のポケット部５８ａに該遊技球が入る機会が多くなる。
【００４３】
上記のとおり、遊技球が回転型電動部材６６の透孔６９ｂ内に入ってから曲面棚７０に落下した場合は、そのほとんどが特別入賞口５５に入賞することはない。これに対し、遊技球が回転型電動部材６６に衝突することなく傾斜棚５２上面を転動する場合、あるいは遊技球が回転型電動部材６６に衝突して傾斜棚５２上面を転動する場合には、当該遊技球が進退動型電動部材５８のポケット部５８ａに入る可能性を有しているので、最終的に特別入賞口５５に容易に入賞する場合がある。従って、回転型電動部材６６の透孔６９ｂ内に入った場合と、入らずに傾斜棚５２上面を転動する場合とでは、特別入賞口５５への入賞確率に大きな違いが生じることになる。そのため、左右の回転型電動部材６６の透孔６９ｂの位置が相互にずれを生じると、必然的に遊技球の特別入賞口５５への入賞確率がバラついて不安定になってしまうことになる。そこで、本発明では、左右の回転型電動部材６６の透孔６９ｂの位置がずれた場合、所定のタイミングでずれを補正し、遊技球が役物４内の特別入賞口５５へ入賞する確率を安定させるようにしている。
【００４４】
次に、本発明に係る役物を有するパチンコ遊技機の回転型電動部材６６の作用について、さらに詳細に説明する。基本的に常時継続回転している回転型電動部材６６は、変動図柄が特定の図柄「７７７」に揃った場合、あるいは遊技球が役物４内の特別入賞口５５へ入賞し、遊技者に有利な大当り状態となったときの最後に一旦停止させると共に、一定時間経過後に再び回転させ、左右の回転型電動部材６６の透孔６９ｂの位置のずれを補正するようにしている。また、大当り状態中に始動入賞口７ａ，７ｂに遊技球が入り、これが保留球として記憶され、当該保留球によって大当り終了後に続けて図柄が変動し、さらに、この図柄が第１の特定図柄、例えば「１１１」「２２２」に揃って小当り状態が発生した場合には、この小当り状態に伴う可動羽根１５ａ，１５ｂの開放の際に流入した遊技球は、特別入賞口５５に入賞し難くなっている。そこで、回転型電動部材６６の回転停止から再回転に至るまでの一連の作用を図１５のタイミングチャート図に基づいて説明する。大当り状態へと移行すると、可動羽根１５ａ，１５ｂが所定回数開閉を繰り返すラウンドが１８回継続されるが、その最終ラウンドの最後の可動羽根１５ａ，１５ｂの開閉が終了したときから数秒経過した時点で、まず、左右の回転型電動部材６６（正確にはその駆動源であるモータＭ）に対し回転を停止するように停止指令が出力される（停止指令出力手段）。この停止指令があると、検出器（位置検知手段）９０に対し回転円板８１のスリット８２の位置を検出するよう指令が出され、この指令に基づいて投光器８３の光が受光器８４によって最初に検知されたスリット８２の位置で左右２つの回転型電動部材６６を一時停止させる（回転停止制御手段）。そして、左右の回転型電動部材６６に対し回転停止指示を出したとき（正確には、回転型電動部材６６の駆動源であるモータＭに対し回転停止指示を出したとき）から所定時間経過後に左右の回転型電動部材６６を同時に回転させるように指令を出し（回転指令出力手段）、左右の回転型電動部材６６が再び回転を始める。ここで、図１５に示す例では、左右の回転型電動部材６６相互の透孔６９ｂの位置にずれがあったため、右側に位置する回転型電動部材６６の回転円板８１のスリット８２の方が早めに検知されて回転型電動部材６６が停止し、左側に位置する回転型電動部材６６の方が遅めに停止している。このとき、２つの回転型電動部材６６の３つの透孔６９ｂは、等間隔で設けられており、且つ回転円板８１の３つのスリット８２は、いずれも回転型電動部材６６の透孔６９ｂと前後方向で一致するようになっているので、左右の２つの回転型電動部材６６の透孔６９ｂの位置は必ず相互に一致した状態で停止することになる。次に一時停止している回転型電動部材６６の再回転の指令を発せられる時について説明すると、次に述べるような時間を想定して当該時間に基づいて決定される。まず、大当り状態中に始動入賞口７ａ，７ｂに遊技球が入り、これが保留球として記憶されるが、当該保留球が存在する場合には、図１５に示すように大当り状態が終了した後に当該保留球を始動の契機とする図柄の変動が１．５秒間継続する。そして、この図柄が第１の特定図柄、例えば「２２２」に揃うと、小当り状態が発生し、可動羽根１５ａ，１５ｂが２回開放される。この最初の可動羽根１５ａ，１５ｂの開放の際、遊技球が遊技室内に流入すると当該遊技球が傾斜棚５２に導かれるが、この流入した遊技球が傾斜棚５２の上面に到達した時点で、回転している回転型電動部材６６の透孔６９ｂがちょうど傾斜棚５２に接近して透孔６９ｂに遊技球が入る位置に来るタイミングを予め把握する。そして、当該タイミングに合致するように予め回転型電動部材６６を事前に回転させる。すなわち、役物の遊技室内に流入した遊技球が傾斜棚５２に到達した時点で、ちょうど回転型電動部材６６の透孔６９ｂが傾斜棚５２に位置するように事前に回転指令を発するようにしている。そして、保留球によって大当り状態から小当り状態へと移行した際に、遊技室内に入った遊技球が傾斜棚５２にくると、ちょうど回転型電動部材６６の透孔６９ｂが傾斜棚５２に接近しているので、当該遊技球は回転型電動部材６６の透孔６９ｂに入って傾斜棚５２を経由することなく遊技室の床面５４へと導かれることになる。従って、保留球によって大当り状態から小当り状態へと移行した際に、遊技室内に入った遊技球は特別入賞口５５に入賞し難いことになる。なお、この実施例では、回転指令を発する時期と図柄変動が開始する時期とがたまたま一致しているが、上記したタイミングになる時期であれば、当然、図柄変動が開始される前後であっても構わない。
【００４５】
上記した実施例では、図柄変動表示器の図柄が第２の特定図柄、例えば「７７７」に揃った場合の大当り状態として、可動羽根１５ａ，１５ｂが複数回開閉を繰り返す例を説明したが、これに限られず、例えば、遊技盤面に大入賞口を設けておき、第２の特定図柄が揃ったら、当該大入賞口を複数回開閉させ、これを大当り状態とすることも可能である。
【００４６】
このように本発明は、遊技室内で回転し続ける複数の回転型電動部材を所定のタイミングで停止指示し、当該停止指示があったときに複数の回転型電動部材の透孔の位置が一致するように停止させると共に、停止指示があったときから所定時間経過後に再び複数の回転型電動部材が同時に回転するよう構成している。従って、複数の回転型電動部材相互の透孔の位置がモータの個体差や回転型電動部材に衝突した遊技球の衝撃によってずれが生じても、所定のタイミングでずれを補正することができるので、遊技球が役物内の特別入賞口へ入賞する確率を安定させることが可能である。
【００４７】
また、本発明は、保留球によって小当り状態が発生した際に役物の球入口から遊技室内に入った遊技球を回転型電動部材と関係させて大当り状態に移行し難くすることが可能である。
【図面の簡単な説明】
【００４８】
【図１】本発明が適用されるパチンコ遊技機の遊技盤の正面図。
【図２】本発明に係る役物の正面図。
【図３】同側面図。
【図４】（イ）は一対の可動羽根の斜視図、（ロ）は同作用図。
【図５】（イ）は球停留装置部位の斜視図、（ロ）は同作用図。
【図６】（イ）は球転動通路部位の斜視図、（ロ）同平面断面図。
【図７】遊技室部位を一部断面にして示す斜視図。
【図８】遊技室の側面断面図。
【図９】回転型電動部材の斜視図。
【図１０】回転型電動部材の作用図。
【図１１】回転型電動部材の作用図。
【図１２】（イ）は押出し部材の斜視図、（ロ）は同作用図。
【図１３】同押出し部材の作用を示す側面断面図。
【図１４】本発明が適用されるパチンコ遊技機のブロック図。
【図１５】本発明が適用されるパチンコ遊技機のタイミングチャート図。
【符号の説明】
【００４９】
１        遊技盤
４        役物
１４ａ    球入口
１４ｂ    球入口
１５ａ    可動片（可動羽根）
１５ｂ    可動片（可動羽根）
５０      遊技室
５５      特別入賞口
５６      普通入賞口
６６      回転型電動部材
６７      回転軸
６８      減速機付モータ
６９ａ    前側壁
６９ｂ    透孔
８１      回転円板
８２      スリット
８３      検出器
【図１】
2010075518.tif 000003
【図２】
2010075518.tif 000004
【図３】
2010075518.tif 000005
【図４】
2010075518.tif 000006
【図５】
2010075518.tif 000007
【図６】
2010075518.tif 000008
【図７】
2010075518.tif 000009
【図８】
2010075518.tif 000010
【図９】
2010075518.tif 000011
【図１０】
2010075518.tif 000012
【図１１】
2010075518.tif 000013
【図１２】
2010075518.tif 000014
【図１３】
2010075518.tif 000015
【図１４】
2010075518.tif 000016
【図１５】
2010075518.tif 000017